(57)【要約】【課題】  危険が少なくて安全な保守点検作業が行え、容易で点検回数も少なくする事ができるエンジン駆動作業機を提供すること。【解決手段】  筐体内部にエンジン５０、エンジンに駆動される作業機本体６０とラジエータ７０等を配設し、筐体上部を形成する前側屋根部材１１３の凹窩部に沈み込む形で載設されたマフラ側面と、前側屋根部材１１３の側壁面との間に形成された凹窩部１１３ｃの底面に、ラジエータ７０の給水口の為に形成された連通口１１３ｄを形成し、前側屋根部材の該凹窩部１１３ｃを上方よりカバー１２０で塞ぎ、該筐体側壁面に配設した開閉扉１１８に、筐体内部のラジエータ７０の給水口とラジエータ７０の冷却水用の膨張タンク７２とが目視でき保守点検が行える連通口を形成し、該連通口を覆う枢軸を有した扉１３０を前記開閉扉１１８に付設し、該扉１３０の近傍の筐体１１４側面に握り棒１２３ｃを有した握り取手部材１２３を配設する。【選択図】  図１
2007071192.tif 000002
【特許請求の範囲】
【請求項１】
少なくともエンジンとエンジンに駆動される作業機本体とが筐体内に配設されたエンジン駆動作業機であって、該筐体は枢軸を有して回動する少なくとも一以上の開閉扉を有し、該開閉扉の少なくとも一は開閉扉壁面と筐体内部の略中央部間との間に配設された補機類の要部が見通せる状態で開口した連通口が形成され、該連通口を該開閉扉の外側より覆う枢軸を有して回動する扉が該開閉扉に付設されている事を特徴とするエンジン駆動作業機。
【請求項２】
請求項１記載のエンジン駆動作業機であって、前記開閉扉に開口した連通口より見通せる補機類要部は、エンジン冷却用ラジエータの給水口と前記ラジエータ冷却水用の膨張タンク壁面と膨張タンク給水口である事を特徴とするエンジン駆動作業機。
【請求項３】
請求項１または  請求項２記載のエンジン駆動作業機であって、前記連通口を有した開閉扉は一端が枢軸にて軸支されいて、対向する他端側は前記筐体に螺着されている事を特徴とするエンジン駆動作業機。
【請求項４】
請求項１または  請求項２記載のエンジン駆動作業機であって、前記開閉扉に付設された連通口を覆う枢軸を有して回動する扉の近傍の前記筐体外壁面に取手を配設した事を特徴とするエンジン駆動作業機。
【請求項５】
請求項１乃至請求項４記載のエンジン駆動作業機であって、該筐体のエンジン冷却用ラジエータの給水口上方には、上下方向に厚みを有して内部に空隙を有して上方が開口した屋根部材が形成され、該屋根部材の床面には、前記エンジン冷却用ラジエータの給水口と連通する連通口が開口し、該屋根部材の開口した天井面には外部とを遮断し、屋根部材を覆う脱着可能なカバー部材が配設されている事を特徴とするエンジン駆動作業機。
【発明の詳細な説明】
【技術分野】
【０００１】  本発明は、エンジン駆動の圧縮機、発電機、溶接機又はポンプ等のエンジン駆動作業機の保守点検を考慮した筐体構造に関し、より詳しくはラジエータ側面近傍に配設された開閉扉構造に関する。
【背景技術】
【０００２】  筐体構造を有する簡易防音型や防音型のエンジン駆動作業機は、筐体内にエンジン、作業機本体、エンジン冷却用のラジエータや制御機器等を配設している。筐体寸法は設置場所の制約等により小型化が要望され、保守作業に於いても安全でより簡単な筐体構造である事が要望されている。【０００３】  従来例の一例として、図６に無駄なスペースを省いたエンジン駆動発電機である防音型エンジン駆動作業機の例を示し、図７に図６で示したラジエータ部を拡大表示した部分断面図を示し、図６，７を併せて説明する。防音型エンジン駆動作業機１００は基礎枠体であるベース１０８上にエンジン５０，作業機本体６０、ラジエータの給水口７０ａを有したラジエータ７０等が配設されている。【０００４】  また防音型エンジン駆動作業機１００の筐体は、前側フレーム部材１１４、梯子１１１ａを有した中央フレーム部材１１１、前側屋根部材１１３や後側屋根部材１１２等で構成されている。筐体寸法を小さくする為に、後側屋根部材１１２内部に図示しない通風ダクトが形成されている。【０００５】前記前側屋根部材１１３内部にマフラー８０が上方より内部に沈み込む形で納められ、マフラー外壁面の一部（図示上面）が該前側屋根部材１１３の天井面として放熱を兼ねて外壁部材として形成されている。【０００６】  また該前側屋根部材１１３に納められたマフラー８０の図示右側には天井面が大きく開口した開口部１１３ｅを有した凹窩部１１３ｃが形成され、該凹窩部１１３ｃの床面１１３ｂは前側屋根部材１１３の床面と同一であって、前記ラジエータ７０の給水口７０ａの上方に位置する所定の位置に筒状の立ち上がり部を有した連通口１１３ｄが形成されいる。【０００７】  該連通口にラジエータ給水蓋１２２が枢軸を有して１８０度回動可能に配設されていて、該給水蓋１２２がエンジン室と屋根部材との間を仕切る蓋となっている。ラジエータへの補給水はこの給水蓋１２２を開いてラジエータ７０へ給水を行う様になっている。【０００８】  作業者は前記中央フレーム部材１１１に形成された梯子１１１ａを利用して屋根部材１１３上に上り、マフラーの外壁面で形成された屋根部を歩行し、前記凹窩部１１３ｃの底面にある前記ラジエータ給水蓋１２２を開いて補給水作業を行う事になる。【０００９】  また筐体の側壁部には保守点検用の開閉扉１１５，１１７，１１８等が形成されている。開閉扉１１７は蝶番１１７ａを有し、開閉扉１１８は蝶番１１８ａを有して回動可能に形成されている。開閉扉１１８は蝶番１１８ａを有しているが普段は頻繁に開閉しない扉であるため、複数のボルト１１８ｂにより筐体側に螺着されている。
【発明の開示】
【発明が解決しようとする課題】
【００１０】  エンジン駆動作業機の運転操作や保守作業は、不慣れな人が行ったり、高齢者が行う事も有り、より安全で容易な保守点検が行える事が要望されている。【００１１】  従来例で示した大型のエンジン駆動作業機はエンジンが大型となり、エンジンの冷却に使用されるラジエータ等も大型となり、エンジン駆動作業機の筐体も大きくならざるを得ない。かかる場合のラジエータへの補給水の行う場所は、屋根部材上の為高所で危険である。また高所で有りながらマフラー外壁面上を移動しなければならず、高温である場合もあり危険である。【００１２】  また前記屋根部材の凹窩部底面に、前記ラジエータ給水蓋が形成されていたので、凹窩部天井面を塞ぐ事ができない為、エンジン駆動作業機の設置場所によっては該凹窩部に埃や枯れ葉等が集積し汚い上、火災の危険が有り定期的に清掃を要する場合がある。
【課題を解決する為の手段】
【００１３】  上述の様な課題を解決すべく本発明に於いては請求項１に記載の如く、少なくともエンジンとエンジンに駆動される作業機本体とが筐体内に配設されたエンジン駆動作業機であって、該筐体は枢軸を有して回動する少なくとも一以上の開閉扉を有し、該開閉扉の少なくとも一は開閉扉壁面と筐体内部の略中央部間との間に配設された補機類の要部が見通せる状態で開口した連通口が形成され、該連通口を該開閉扉の外側より覆う枢軸を有して回動する扉が該開閉扉に付設する。
【００１４】  上述の様な課題を解決すべく本発明に於いては請求項２に記載の如く、請求項１記載のエンジン駆動作業機であって、前記開閉扉に開口した連通口より見通せる補機類要部は、エンジン冷却用ラジエータの給水口と前記ラジエータ冷却水用の膨張タンク壁面と膨張タンク給水口である事を特徴とするエンジン駆動作業機。
【００１５】  上述の様な課題を解決すべく本発明に於いては請求項３に記載の如く、請求項１または  請求項２記載のエンジン駆動作業機であって、前記連通口を有した開閉扉は一端が枢軸にて軸支されいて、対向する他端側は前記筐体に螺着する。
【００１６】  上述の様な課題を解決すべく本発明に於いては請求項４に記載の如く、請求項１または  請求項２記載のエンジン駆動作業機であって、前記開閉扉に付設された連通口を覆う枢軸を有して回動する扉の近傍の前記筐体外壁面に取手を配設する。
【００１７】  上述の様な課題を解決すべく本発明に於いては請求項５に記載の如く、請求項１乃至請求項４記載のエンジン駆動作業機であって、該筐体のエンジン冷却用ラジエータの給水口上方には、上下方向に厚みを有して内部に空隙を有して上方が開口した屋根部材が形成され、該屋根部材の床面には、前記エンジン冷却用ラジエータの給水口と連通する連通口が開口し、該屋根部材の開口した天井面には外部とを遮断し、屋根部材を覆う脱着可能なカバー部材を配設する。
【発明の効果】
【００１８】  本発明は、上述のように構成する事により、次のような効果を奏する。
【００１９】  ラジエータの給水口の近傍の所定の位置にラジエータ冷却水用の膨張タンクを配設し、該ラジエータ給水口の近傍の側壁を枢軸で軸支した回動可能な開閉扉を形成し、該開閉扉の側壁面に前記ラジエータの給水口とラジエータ冷却水用の膨張タンクとが見渡せたうえ給水作業ができる位置に連通口を形成し、該連通口を覆う枢軸を有した扉を付設したので、大きな開閉扉を開扉する事無く、小さくて簡単に開閉できる該扉を開扉する事により点検や給水を容易に行う事ができる。
【００２０】  エンジン駆動作業機の高所にある屋根部材に上ること無く補水ができるので危険が無くなり、安全な作業を行う事ができる。該エンジン駆動作業機の大きさにもよるが、目の高さ以上にラジエータの吸水口が有る場合であっても平らな地面に踏み台や脚立等を設置する事により屋根の上に上って作業をするよりも、より安全に作業を行う事ができる。
【００２１】  また点検の為、前記平らな地面に踏み台や脚立等を設置した場合でも、前記連通口を覆う扉近傍に垂直方向に棒のように長く形成された取手が強固な前記筐体外壁面に配設されているので、作業者が脚立等に上ったときも作業者の身長によらず手で容易に握る事ができるので転倒防止に寄与する。
【００２２】  またエンジン駆動作業機の設置は屋外であったり、屋内であったり、樹木の多い郊外や山間部であったり、市街地であったりする。塵芥が多く舞う地域や枯れ葉の舞う地域にエンジン駆動作業機を設置する場合に天井面に形成された凹窩部には枯れ葉を含む塵芥が堆積してしまい火災等の危険が増す事になり、屋根部材上での清掃作業が必要になる事が有る。
【００２３】  本願発明によればエンジン駆動作業機側壁面に配設された小さな扉より行う事ができる様になった為、該エンジン駆動作業機の天井面に形成されている凹窩部を覆うカバーを配設できるので、枯れ葉等が堆積する事も無く保守管理上有効である。
【発明を実施する為の最良の形態】
【００２４】  以下、図１乃至図５により本発明の実施例を示す。
【実施例１】
【００２５】  図１は、本発明の一実施例を示すエンジン駆動発電機であるエンジン駆動作業機の側面図であり以下詳細に説明する。エンジン駆動作業機１００はエンジン５０とエンジンに駆動される作業機本体６０とが基礎枠体であるベース１０８上の筐体１０５内に配設されている。【００２６】  筐体１０５は図示右端より前側フレーム部材１１４、中央部に梯子１１１ａを有した中央フレーム部材１１１、後側フレーム部材１０９等の主たる構造体で形成され、該構造体の天井面を後側屋根部材１１２や前側屋根部材１１３等で形成する。また該筐体１０５は筐体内部のエンジン５０、制御装置７５等を保守点検する為の大きく回動する開閉扉１１５，１１６，１１７，１１８等を有している。【００２７】  前記開閉扉１１５は蝶番１１５ａで、開閉扉１１６は蝶番１１６ａで、開閉扉１１７は蝶番１１７ａで、開閉扉１１８は蝶番１１８ａの枢軸でそれぞれ軸支されていて回動可能となっている。該開閉扉は保守点検の為幅が広い方が保守点検上、大きく開口するので好ましいが、１つの開閉扉の幅を大きくすると開扉するときの開扉スペースを大きく取る必要があり、設置上支障をきたす。【００２８】  該理由により、開閉扉１１５と１１６とは対を成す２つの扉として形成され、観音開き式となっている。また開閉扉１１７と１１８とも同様の理由で対を成す２つの扉として形成される観音開き式となっている。開閉扉１１６と開閉扉１１８は通常時は開扉する必要が無いので枢軸にて軸支した側面と対向する側はボルトにて筐体側に螺着されていて、通常は閉じられた扉として形成されている。【００２９】  前記開閉扉１１８は上部に筐体内部と連通する図示しない連通口を有していて、該連通口を外側より覆う扉１３０が形成されている。該扉１３０は図示左側に蝶番１３０ａが配設され前記開閉扉１１８に対して回動する構造となっている。該扉１３０の中央右側には開閉用取手１３０ｂが配設され、この操作により開閉する。【００３０】  前記扉１３０の図示右側近傍には、前側フレーム部材１１４の側壁面に握り取手部材１２３が窪んだ状態に配設され、該握り取手部材１２３の中央の垂直方向に円柱状の握り棒１２３ｃが形成されている。該扉１３０は作業者の身長に対して比較的高い位置に配設してある為に、開扉して筐体内部を点検するときには脚立等を利用する事になる。【００３１】  保守点検時といえども、脚立等を利用して高所に上って点検するのは危険を伴うものであり、該握り取手部材１２３は、作業者が手で円柱状の握り棒１２３ｃを握り、体を支持する事により転落等の危険を防止し安全に作業を行えるようにするものである。【００３２】  図２は前記エンジン駆動作業機１００の上面図であり、後側屋根部材１１２や前側屋根部材１１３の上方より見た図を示し、以下詳細に説明する。該エンジン駆動作業機１００の天井面は後側屋根部材１１２、吊り金具１１１ｂを有した中央フレーム部材１１１、前側屋根部材１１３と前側フレーム部材１１４の上端部に配設された排風カバー１２１等で形成されている。【００３３】  前側屋根部材１１３は両側の上端部に縁１１３ａを有して上面が開口した底面を有した凹形に形成され、該窪み部にマフラー８０が沈み込む形で配設されている。該前側屋根部材１１３の天井面としてマフラー８０の上面が代わりをはたす。マフラー８０の図示右側は凹窩部１１３ｃが形成されていて、底面に筐体内部と連通する連通口１１３ｄを有している。該連通口１１３ｄの下方には前記ラジエータ７０の給水口７０ａが存在する位置関係に有る。【００３４】  前記凹窩部１１３ｃの天井面を塞ぐ様に脱着可能なカバー１２０が螺設されていて、内部に枯れ葉を含む塵芥の侵入を防ぐ事ができる。【００３５】  図３は図１で示した扉１３０の周囲を拡大表示したものであり以下詳細に説明する。筐体側壁面に配設された開閉扉１１８は蝶番１１８ａの枢軸で回動可能に軸支され、複数のボルト１１８ｂで筐体側に螺着して閉扉する構造に成っている。【００３６】  前記開閉扉１１８には閉扉状態でも筐体内部に配設したラジエータ７０の給水口７０ａやラジエータ冷却水用の膨張タンク７２が目視できたり保守点検作業が可能な連通口１１８ｃが形成され、該連通口１１８ｃを覆う扉１３０が蝶番１３０ａの枢軸にて前記開閉扉１１８に軸支されている。また該扉１３０の図示右側近傍の前記前側フレーム部材１１４に形成された凹窩部に握り取手部材１２３の握り棒１２３ｃが配設されている【００３７】  図４は図３のＡ−Ａ断面を示す図であり、以下詳細に説明する。筐体１１４の側面を切り抜き、該開口部に断面ハット状をした外枠１２３ａを有した握り取手部材１２３がはめ込まれている。該握り取手部材１２３の略中央部に握り棒１２３ｃが垂直方向に配設され、該握り棒１２３ｃの周りは作業者の手で握れるように凹窩部１２３ｂが形成されている。【００３８】  該握り取手部材１２３を前記扉１３０の近傍に配設したので、作業者が脚立等に上り保守点検の為に該扉１３０の中に片手を挿入して作業しても、他の一方の手は該握り取手部材１２３の握り棒１２３ｃを握って体を支える事が可能なので転倒等を防止する事ができる。【００３９】  図５は図３で示した図の筐体内部を断面視したもので以下詳細に説明する。開閉扉１１８の上部に形成された図示しない連通口１１８ｃの筐体内部近傍には、ラジエータ７０の吸水口７０ａとラジエータ７０の冷却水用の膨張タンク７２とが配設されていて、該膨張タンク７２の外側壁面に形成された高水位線７２ａと低水位線７２ｂとが目視できる状態で配設されている。【００４０】  ラジエータ７０の上方の筐体として前側屋根部材１１３が配設され、該前側屋根部材１１３の上面は、両側に縁のみを有して開口し、床面１１３ｂに連通口１１３ｄを有して上方に開口した凹形に形成されている。該前側屋根部材１１３の内部にマフラー８０が上方より沈み込む形で収納され、該マフラー８０の図示右側凹窩部１１３ｃには天井部にカバー１２０が複数のボルト１３５により螺着されている。このため該凹窩部１１３ｃに侵入する落ち葉等が無くなり火災等の危険が無くなり、清掃は不必要となる。
【図面の簡単な説明】
【００４１】
【図１】図１は、本発明の一実施例を示すエンジン駆動作業機の側面図
【図２】図２は、図１で示したエンジン駆動作業機の上面図
【図３】図３は、図１で示した扉１３０部の拡大図
【図４】図４は、図３のＡ−Ａ断面図
【図５】図５は、図３の筐体内部を示す部分断面図
【図６】図６は、従来例を示すエンジン駆動作業機の側面図
【図７】図７は、図６のラジエータ部を拡大表示した部分断面図
【符号の説明】
【００４２】      ５０    エンジン
６０    作業機本体
７０    ラジエータ
７０ａ  給水口
７２    膨張タンク
７５    制御装置
８０    マフラー
１００  エンジン駆動作業機
１０５  筐体
１０８  ベース
１０９  後側フレーム部材
１１１  中央フレーム部材
１１１ａ  梯子
１１２  後側屋根部材
１１３  前側屋根部材
１１３ａ  縁
１１３ｂ  床面
１１３ｃ  凹窩部
１１３ｄ  連通口
１１４  前側フレーム部材
１１５，１１６，１１７，１１８  開閉扉
１１７ａ，１１８ａ  枢軸
１２０  カバー
１２１  排風カバー
１２２  ラジエータ給水蓋
１２３  握り取手部材
１２３ｃ  握り棒
１３０  扉
【図１】
2007071192.tif 000003
【図２】
2007071192.tif 000004
【図３】
2007071192.tif 000005
【図４】
2007071192.tif 000006
【図５】
2007071192.tif 000007
【図６】
2007071192.tif 000008
【図７】
2007071192.tif 000009